(57)【要約】【課題】低消費電流でありながら、低占有面積及び発振周波数の精度が良いＣＲ発振回路を提供することである。【解決手段】基準電圧を切替えて出力する基準電圧回路と、  容量を充電する第一定電流源と、容量を放電する第二定電流源と、基準電圧回路と容量の電圧を比較する電圧比較器と、論理回路を備え、電圧比較器の出力信号に応じて論理回路が基準電圧回路と定電流源を同時に切り替える構成にした。【選択図】図１
2016072870.tif 000002
【特許請求の範囲】
【請求項１】
第一基準電圧回路と、前記第一基準電圧回路より低い基準電圧を出力する第二基準電圧回路を切替えて基準電圧を出力する基準電圧回路と、
容量を充電する第一定電流源と、
前記容量を放電する第二定電流源と、
前記基準電圧と前記容量の電圧が入力される電圧比較器と、
前記電圧比較器の出力端子に接続された論理回路と、を備えたＣＲ発振回路であって、
前記論理回路は、前記電圧比較器の出力信号に応じて、前記基準電圧回路の基準電圧と前記容量の充放電を同時に切り替えることを特徴とする発振回路。
【請求項２】
前記容量を充電する第三定電流源と、
発振動作の開始を検出する検出回路と、を備え、
前記検出回路は、発振動作が開始するときに所定の時間だけ前記第三定電流源を動作させ、前記容量の充電電流を増加することを特徴とする請求項１に記載の発振回路。
【発明の詳細な説明】
【技術分野】
【０００１】
本発明は、電流制御型のＣＲ発振回路に関し、より詳しくは低消費電流かつ低占有面積のＣＲ発振回路に関する。
【背景技術】
【０００２】
電子機器の中で使われるＣＲ発振回路として、半導体集積回路と水晶振動子を組合せた水晶ＣＲ発振回路が以前より使われている。水晶ＣＲ発振回路は、半導体集積回路もしくは、水晶振動子の近くに寄生容量が存在すると、発振周波数が設定値からずれることがあった。
【０００３】
ところで、昨今、電子機器の小型化要求により電子部品の高密度実装化が増加しているため、半導体集積回路もしくは、水晶振動子の近くに存在する寄生容量は大きくなる傾向にある。そこで、集積回路の実装状態に依存しないＣＲ発振回路として、ＣＲ発振回路が採用されている。
【０００４】
図６は、従来のＣＲ発振回路を示す回路図である。
従来のＣＲ発振回路は、電圧比較器Ｘ１、Ｘ２と、基準電圧回路ＶＨ、ＶＬと、定電流源Ｉ１、Ｉ２と、スイッチＳ１、Ｓ２と、容量Ｃを備えている。
【０００５】
従来のＣＲ発振回路は、電圧比較器Ｘ１、Ｘ２によって、定電流源Ｉ１、Ｉ２と容量Ｃから成る三角波電圧を基準電圧ＶＨ及びＶＬと比較することで、基準電圧ＶＨとＶＬを上下のピーク電圧で発振するＣＲ発振回路を構成している。
【先行技術文献】
【特許文献】
【０００６】
【特許文献１】特開２００３−３３２８８９号公報
【発明の概要】
【発明が解決しようとする課題】
【０００７】
従来のＣＲ発振回路は、電圧比較器が２つあることで、消費電流の増加と、占有面積の増大という課題があった。
また、電圧比較器には常にオフセット電圧が発生するので、設定した基準電圧と異なる電圧で三角波電圧を比較してしまい、発振周波数の誤差となっていた。さらに、２つの電圧比較器のオフセット電圧は、常に一定の電圧値とならないため、発振周波数の誤差を予測することも困難であった。
【０００８】
一般に、電圧比較器はＭＯＳトランジスタを差動対構成にした回路がよく使われる。ここで、電圧比較器のオフセット電圧を考えてみる。オフセット電圧は、おおよそ差動対構成を形成するＭＯＳトランジスタの閾値電圧がずれることで発生する。差動対構成のＭＯＳトランジスタの閾値電圧を各々ＶＴＨ１、ＶＴＨ２とすれば、それら閾値電圧の差分ΔＶＴＨは一般に式１で表される。
【０００９】
ΔＶＴＨ＝α×ｔｏｘ／√（Ｗ×Ｌ）        （１）
式１から閾値電圧の差分ΔＶＴＨを小さくしようとすると、ＭＯＳトランジスタの面積を大きくすることが簡便な方法である。ところが、酸化膜厚ｔｏｘは製造条件により変動するため、トランジスタ面積を大きくしただけでは、閾値電圧の差分ΔＶＴＨは小さくなるが、一定値に保つことはできない。それに加え、大きなトランジスタ面積を有することで、三角波電圧生成用の容量と比較して、ＭＯＳトランジスタのゲート容量が大きくなり、結果として発振周波数の誤差要因と成り得る可能性がある。
【００１０】
本発明は、上記課題に鑑み、低消費電流、低占有面積及び発振周波数の精度が良いＣＲ発振回路を提供することである。
【課題を解決するための手段】
【００１１】
上記課題を解決するために、本発明のＣＲ発振回路は、以下のような構成とした。
基準電圧を切替えて出力する基準電圧回路と、  容量を充電する第一定電流源と、容量を放電する第二定電流源と、基準電圧回路と容量の電圧を比較する電圧比較器と、論理回路を備え、電圧比較器の出力信号に応じて論理回路が基準電圧回路と定電流源を同時に切り替えることを特徴としたＣＲ発振回路。
【発明の効果】
【００１２】
基準電圧にオフセット電圧を加算、もしくは減算した電圧が、電圧比較器の基準電圧となる。ここで、基準電圧ＶＨ、ＶＬを電圧比較器の出力電圧で切り替える回路構成のため、電圧比較器のオフセット電圧により発振周波数がずれることはない。また、電圧比較器が１つであるため消費電流とＣＲ発振回路の占有面積を小さくできる。
【図面の簡単な説明】
【００１３】
【図１】第一の実施形態のＣＲ発振回路を示す回路図である。
【図２】第一の実施形態のＣＲ発振回路の動作波形である。
【図３】第一の実施形態のＣＲ発振回路で電圧比較器にオフセット電圧が発生したときの動作波形である。
【図４】第二の実施形態のＣＲ発振回路を示す回路図である。
【図５】第二の実施形態のＣＲ発振回路の動作波形である。
【図６】従来のＣＲ発振回路を示す回路図である。
【発明を実施するための形態】
【００１４】
＜第一の実施形態＞
図１は、第一の実施形態のＣＲ発振回路の回路図である。
第一の実施形態のＣＲ発振回路は、定電流源２０、２１と、コンデンサ４０と、基準電圧回路３０、３１と、電圧比較器５０と、インバータ６０、６１、６２と、ＮＡＮＤ回路７０と、スイッチ１０、１１、１２、１４、１５を備えている。基準電圧回路３０は、基準電圧ＶＨを出力する。基準電圧回路３１は、基準電圧ＶＬを出力する。基準電圧は、基準電圧ＶＨ＞基準電圧ＶＬの関係にある。
【００１５】
第一の実施形態のＣＲ発振回路の接続について説明する。
電源端子と接地端子の間に、定電流源２０、スイッチ１０、スイッチ１１、定電流源２１が直列に接続される。スイッチ１０とスイッチ１１の接続点をノードＳＬＯＰＥとする。基準電圧回路３０は、スイッチ１２を介してノードＶＲＥＦに接続され、基準電圧回路３１は、スイッチ１３を介してノードＶＲＥＦ接続される。電圧比較器５０は、非反転入力端子がノードＳＬＯＰＥに接続され、反転入力端子がノードＶＲＥＦに接続され、出力端子はノードＯＣＳＯＵＴに接続される。並列に接続されたコンデンサ４０とスイッチ１４は、ノードＳＬＯＰＥと接地端子の間に接続される。スイッチ１５は、ノードＯＣＳＯＵＴと接地端子の間に接続される。インバータ６０は、入力端子がノードＳＬＯＰＥに接続され、出力端子がＮＡＤＮ７０の一方の入力端子に接続される。ＮＡＮＤ回路７０は、他方の入力端子がＥＮ端子に接続され、出力端子がインバータ６１の入力端子に接続される。インバータ６２は、入力端子がＥＮ端子に接続される。インバータ６１の出力端子はノードＳＷであり、インバータ６２の出力端子はノードＥＮＸであり、ＮＡＮＤ回路７０の出力端子はノードＳＷＸである。
【００１６】
スイッチ１０とスイッチ１２の選択端子は、ノードＳＷに接続される。スイッチ１１とスイッチ１３の選択端子は、ノードＳＷＸに接続される。スイッチ１４とスイッチ１５の選択端子は、ノードＥＮＸに接続される。スイッチ１０〜１５は、例えば、選択端子がＨＩＧＨになるとオンする。
【００１７】
次に、第一の実施形態のＣＲ発振回路の動作について説明する。図２は第一の実施形態のＣＲ発振回路の動作波形である。
【００１８】
［時間Ｔ０から時間Ｔ１］
ＥＮ端子はＬＯＷ（ノードＥＮＸはＨＩＧＨ）であり、スイッチ１４、１５はオンしているので、ノードＳＬＯＰＥとノードＯＣＳＯＵＴはＬＯＷにある。
【００１９】
インバータ６０は、入力端子がＬＯＷなので、出力端子はＨＩＧＨである。ＮＡＮＤ回路７０は、ＥＮ端子がＬＯＷなので、出力端子（ノードＳＷＸ）はＨＩＧＨであり、スイッチ１１、１３はオンしている。スイッチ１３がオンしているので、ノードＶＲＥＦの電圧は基準電圧ＶＬである。電圧比較器５０は、非反転入力端子がＬＯＷで、反転入力端子が基準電圧ＶＬなので、ノードＯＳＣＯＵＴはＬＯＷである。
【００２０】
［時刻Ｔ１から時刻Ｔ２］
時刻Ｔ１でＥＮ端子がＨＩＧＨ（ノードＥＮＸはＬＯＷ）になると、スイッチ１４、１５はオフして、ＣＲ発振回路は動作を開始する。このとき、ノードＳＬＯＰＥの電圧はまだ低いので、電圧比較器５０の出力端子はＬＯＷである。ここで、ＮＡＮＤ回路７０は、入力端子が両方ともＨＩＧＨなので、出力端子（ノードＳＷＸ）はＬＯＷになる。よって、スイッチ１１、１３はオフし、スイッチ１０、１２がオンする。スイッチ１０がオンしてスイッチ１１がオフするので、定電流源２０がコンデンサ４０へ充電を開始する。また、スイッチ１３がオフし、スイッチ１２がオンするので、ノードＶＲＥＦの電圧は基準電圧ＶＨになる。
【００２１】
そして、定電流源２０がコンデンサ４０を充電することで、ノードＳＬＯＰＥの電圧はＬＯＷから時間と共に上昇する。ここで、定電流源２０がコンデンサ４０を充電する時間は、ノードＳＬＯＰＥの電圧が、ノードＶＲＥＦの電圧ＶＨになるまでである。ノードＳＬＯＰＥの電圧を求めると、
ＶＳＬＯＰＥ(T2-T1)＝（ＩCHG／Ｃ）×（Ｔ２−Ｔ１）      （２）
であり、この電圧が基準電圧ＶＨに等しいので、
ＶＨ＝（ＩCHG／Ｃ）×（Ｔ２−Ｔ１）      （３）
が成り立つ。式２と式３から、充電する時間（Ｔ２−Ｔ１）は式４となる。
【００２２】
Ｔ２−Ｔ１＝ＶＨ×（Ｃ／ＩCHG）      （４）
ＩCHGは定電流源２０の電流、Ｃはコンデンサ４０の容量である。
【００２３】
［時刻Ｔ２から時刻Ｔ３］
時刻Ｔ２で、電圧比較器５０の非反転入力端子が反転入力端子の基準電圧ＶＨを超えるので、出力端子（ノードＯＳＣＯＵＴ）がＨＩＧＨになる。従って、ＮＡＮＤ回路７０の一方の入力端子はＬＯＷになるので、ノードＳＷはＬＯＷ（ノードＳＷＸはＨＩＧＨ）になる。スイッチ１２はオフしてスイッチ１３はオンするので、ノードＶＲＥＦの電圧は基準電圧ＶＬになる。また、スイッチ１０はオフしてスイッチ１１はオンするので、定電流源２１がコンデンサ４０を放電するので、ノードＳＬＯＰＥの電圧は時間と共に降下する。
【００２４】
ここで、定電流源２１がコンデンサ４０を放電する時間は、ノードＳＬＯＰＥの電圧がノードＶＲＥＦの電圧になるまでである。ノードＳＬＯＰＥの電圧を求めると、
ＶＳＬＯＰＥ(T3-T2)＝ＶＨ−（ＩDCHG／Ｃ）×（Ｔ３−Ｔ２）      （５）
であり、この電圧がＶＬに等しいので、
ＶＬ＝ＶＨ−（ＩDCHG／Ｃ）×（Ｔ３−Ｔ２）      （６）
が成り立つ。式５と式６からコンデンサ４０を放電する時間（Ｔ３−Ｔ２）は式７となる。
Ｔ３−Ｔ２＝（ＶＨ−ＶＬ）×（Ｃ／ＩDCHG）      （７）
ＩDCHGハ、定電流源２１の電流である。
【００２５】
［時刻Ｔ３から時刻Ｔ４］
電圧比較器５０は時刻Ｔ１から時刻Ｔ２の期間と同様の動作をしており、スイッチ１０、１２はオンであり、スイッチ１１、１３はオフしている。但し、ノードＳＬＯＰＥの電圧は基準電圧ＶＬから充電が開始されるので、充電する時間（Ｔ４−Ｔ３）は式８となる。
【００２６】
Ｔ４−Ｔ３＝（ＶＨ−ＶＬ）×（Ｃ／ＩCHG）      （８）
図２の動作波形を見るとわかるように、時刻Ｔ２以降はノードＳＬＯＰＥの電圧が基準電圧ＶＨと基準電圧ＶＬを振幅の上下とする三角波電圧になり、電圧比較器５０の出力端子で発振動作が継続する。ここで、時刻Ｔ２以降の発振周期ＴOSCを求めると式９となる。
ＴOSC＝（Ｔ３−Ｔ２）＋（Ｔ４−Ｔ３）
＝（ＶＨ−ＶＬ）×（Ｃ／ＩDCHG）＋（ＶＨ−ＶＬ）×（Ｃ／ＩCHG）
＝２×（ＶＨ−ＶＬ）×（Ｃ／ＩDCHG＋Ｃ／ＩCHG）      （９）
【００２７】
次に、電圧比較器５０にオフセット電圧が発生した場合の発振波形について説明する。
図３は、第一の実施形態のＣＲ発振回路で電圧比較器５０の入力端子にオフセット電圧ＶＯＦが発生したときの動作波形である。図３の動作波形例では、オフセット電圧を正の電圧としているが、オフセット電圧は負の電圧であってもよい。
これまでと同様に発振周期ＴＯＳＣ’を求めると、
Ｔ３’−Ｔ２’＝（（ＶＨ＋ＶＯＦ）−（ＶＬ＋ＶＯＦ））×（Ｃ／ＩCHG）
＝（ＶＨ−ＶＬ）×（Ｃ／ＩCHG）      （１０）
Ｔ４’−Ｔ３’＝（（ＶＨ＋ＶＯＦ）−（ＶＬ＋ＶＯＦ））×（Ｃ／ＩDCHG）
＝（ＶＨ−ＶＬ）×（Ｃ／ＩDCHG）      （１１）
ＴOSC’＝２×（ＶＨ−ＶＬ）×（Ｃ／ＩDCHG＋Ｃ／ＩCHG）      （１２）
図３、及び式１２にオフセット電圧ＶＯＦの項がないことから、電圧比較器５０の入力端子のオフセット電圧ＶＯＦをキャンセルすることが出来る。従って、本実施形態のＣＲ発振回路は、発振周波数の精度向上が可能である。
【００２８】
＜第二の実施形態＞
図４は第二の実施形態のＣＲ発振回路の回路図である。図１との違いは、定電流源２２とＤＦＦ９０とＥＸＯＲ８０とスイッチ１６の追加である。定電流源２２は、定電流源２０の電流ＩCHGよりも大きな電流ＩBOOSTを流す。
第二の実施形態のＣＲ発振回路の接続について、第一の実施形態のＣＲ発振回路との変更点のみ説明する。
【００２９】
ＤＦＦ９０は、Ｄ端子とＲＸ端子にＥＮ端子が接続され、Ｃ端子にノードＯＳＣＯＵＴが接続される。ＥＸＯＲ９０は、一方の入力端子にＥＮ端子が接続され、他方の入力端子にＤＦＦ９０のＱ端子が接続される。直列に接続された定電流源２２とスイッチ１６は、電源端子とノードＳＬＯＰＥの間に設けられる。スイッチ１６の選択端子は、ＥＸＯＲ９０の出力端子に接続される。
【００３０】
次に、第二の実施形態のＣＲ発振回路の動作について説明する。図５は、第二の実施形態のＣＲ発振回路の動作波形である。
時刻Ｔ０では、ＥＮ端子はＬＯＷなので、ＤＦＦ９０はリセットされておりＱ出力はＬＯＷを出力する。ＥＸＯＲ８０の２つの入力端子がＬＯＷなので、ＥＸＯＲ８０の出力端子はＬＯＷとなる。よって、スイッチ１６はオフしている。
【００３１】
時刻Ｔ１でＥＮ端子がＨＩＧＨになると、ＥＸＯＲ８０の出力端子はＨＩＧＨとなり、スイッチ１６はオンして、定電流源２２の電流ＩBOOSTがコンデンサ４０を充電する。また、第一の実施形態の動作で説明したが、時刻Ｔ１では定電流源２０の電流ＩCHGがコンデンサ４０を充電しているので、結果として、定電流源２０の電流ＩCHGと定電流源２２の電流ＩBOOSTがコンデンサ４０を充電することになる。このため、ノードＳＬＯＰＥの電圧は早く上昇する。ノードＳＬＯＰＥの電圧が基準電圧ＶＨと等しくなると、ノードＯＳＣＯＵＴはＨＩＧＨになる。ＤＦＦ９０は、Ｃ端子の立上りでＤ端子の電圧を取り込んだ結果をＱ端子に出力するので、Ｑ端子はＨＩＧＨになる。よって、ＥＸＯＲ８０の出力端子はＬＯＷとなり、スイッチ１６はオフして、定電流源２２による充電動作は停止する。時刻Ｔ２以降の動作は、第一の実施形態と同じである。
従って、本実施形態のＣＲ発振回路は、発振動作を開始するまでの時間を短くすることができる、と言う効果がある。
【００３２】
以上説明したように、本発明のＣＲ発振回路は、電圧比較器を１つで構成して、基準電圧にオフセット電圧を加算、もしくは減算した電圧が、電圧比較器の基準電圧としたので、低消費電流、低占有面積及び発振周波数の精度が良いＣＲ発振回路を提供することが出来る。
【符号の説明】
【００３３】
２０、２１、２２  定電流源回路
３０、３１  基準電圧回路
５０  電圧比較器
９０  ＤＦＦ
【図１】
2016072870.tif 000003
【図２】
2016072870.tif 000004
【図３】
2016072870.tif 000005
【図４】
2016072870.tif 000006
【図５】
2016072870.tif 000007
【図６】
2016072870.tif 000008
【手続補正書】
【提出日】平成27年9月7日(2015.9.7)
【手続補正１】
【補正対象書類名】明細書
【補正対象項目名】０００２
【補正方法】変更
【補正の内容】
【０００２】
電子機器の中で使われる発振回路として、半導体集積回路と水晶振動子を組合せた水晶発振回路が以前より使われている。水晶発振回路は、半導体集積回路もしくは、水晶振動子の近くに寄生容量が存在すると、発振周波数が設定値からずれることがあった。
【手続補正２】
【補正対象書類名】明細書
【補正対象項目名】０００３
【補正方法】変更
【補正の内容】
【０００３】
ところで、昨今、電子機器の小型化要求により電子部品の高密度実装化が増加しているため、半導体集積回路もしくは、水晶振動子の近くに存在する寄生容量は大きくなる傾向にある。そこで、集積回路の実装状態に依存しない発振回路として、従来よりＣＲ発振回路が知られている。
【手続補正３】
【補正対象書類名】明細書
【補正対象項目名】００１４
【補正方法】変更
【補正の内容】
【００１４】
＜第一の実施形態＞
図１は、第一の実施形態のＣＲ発振回路の回路図である。
第一の実施形態のＣＲ発振回路は、定電流源２０、２１と、コンデンサ４０と、基準電圧回路３０、３１と、電圧比較器５０と、インバータ６０、６１、６２と、ＮＡＮＤ回路７０と、スイッチ１０、１１、１２、１３、１４、１５を備えている。基準電圧回路３０は、基準電圧ＶＨを出力する。基準電圧回路３１は、基準電圧ＶＬを出力する。基準電圧は、基準電圧ＶＨ＞基準電圧ＶＬの関係にある。
【手続補正４】
【補正対象書類名】明細書
【補正対象項目名】００１５
【補正方法】変更
【補正の内容】
【００１５】
第一の実施形態のＣＲ発振回路の接続について説明する。
電源端子と接地端子の間に、定電流源２０、スイッチ１０、スイッチ１１、定電流源２１が直列に接続される。スイッチ１０とスイッチ１１の接続点をノードＳＬＯＰＥとする。基準電圧回路３０は、スイッチ１２を介してノードＶＲＥＦに接続され、基準電圧回路３１は、スイッチ１３を介してノードＶＲＥＦ接続される。電圧比較器５０は、非反転入力端子がノードＳＬＯＰＥに接続され、反転入力端子がノードＶＲＥＦに接続され、出力端子はノードＯＳＣＯＵＴに接続される。並列に接続されたコンデンサ４０とスイッチ１４は、ノードＳＬＯＰＥと接地端子の間に接続される。スイッチ１５は、ノードＯＳＣＯＵＴと接地端子の間に接続される。インバータ６０は、入力端子がノードＯＳＣＯＵＴに接続され、出力端子がＮＡＤＮ回路７０の一方の入力端子に接続される。ＮＡＮＤ回路７０は、他方の入力端子がＥＮ端子に接続され、出力端子がインバータ６１の入力端子に接続される。インバータ６２は、入力端子がＥＮ端子に接続される。インバータ６１の出力端子はノードＳＷであり、インバータ６２の出力端子はノードＥＮＸであり、ＮＡＮＤ回路７０の出力端子はノードＳＷＸである。
【手続補正５】
【補正対象書類名】明細書
【補正対象項目名】００１８
【補正方法】変更
【補正の内容】
【００１８】
［時刻Ｔ０から時刻Ｔ１］
ＥＮ端子はＬＯＷ（ノードＥＮＸはＨＩＧＨ）であり、スイッチ１４、１５はオンしているので、ノードＳＬＯＰＥとノードＯＳＣＯＵＴはＬＯＷにある。
【手続補正６】
【補正対象書類名】明細書
【補正対象項目名】００２７
【補正方法】変更
【補正の内容】
【００２７】
次に、電圧比較器５０にオフセット電圧が発生した場合の動作波形について説明する。
図３は、第一の実施形態のＣＲ発振回路で電圧比較器５０の入力端子にオフセット電圧ＶＯＦが発生したときの動作波形である。図３の動作波形例では、オフセット電圧を正の電圧としているが、オフセット電圧は負の電圧であってもよい。
これまでと同様に発振周期ＴOSC’を求めると、
Ｔ３’−Ｔ２’＝（（ＶＨ＋ＶＯＦ）−（ＶＬ＋ＶＯＦ））×（Ｃ／ＩCHG）
＝（ＶＨ−ＶＬ）×（Ｃ／ＩCHG）      （１０）
Ｔ４’−Ｔ３’＝（（ＶＨ＋ＶＯＦ）−（ＶＬ＋ＶＯＦ））×（Ｃ／ＩDCHG）
＝（ＶＨ−ＶＬ）×（Ｃ／ＩDCHG）      （１１）
ＴOSC’＝２×（ＶＨ−ＶＬ）×（Ｃ／ＩDCHG＋Ｃ／ＩCHG）      （１２）
図３、及び式１２にオフセット電圧ＶＯＦの項がないことから、電圧比較器５０の入力端子のオフセット電圧ＶＯＦをキャンセルすることが出来る。従って、本実施形態のＣＲ発振回路は、発振周波数の精度向上が可能である。
【手続補正７】
【補正対象書類名】明細書
【補正対象項目名】００２９
【補正方法】変更
【補正の内容】
【００２９】
ＤＦＦ９０は、Ｄ端子とＲＸ端子にＥＮ端子が接続され、Ｃ端子にノードＯＳＣＯＵＴが接続される。ＥＸＯＲ８０は、一方の入力端子にＥＮ端子が接続され、他方の入力端子にＤＦＦ９０のＱ端子が接続される。直列に接続された定電流源２２とスイッチ１６は、電源端子とノードＳＬＯＰＥの間に設けられる。スイッチ１６の選択端子は、ＥＸＯＲ８０の出力端子に接続される。
【手続補正８】
【補正対象書類名】明細書
【補正対象項目名】００３０
【補正方法】変更
【補正の内容】
【００３０】
次に、第二の実施形態のＣＲ発振回路の動作について説明する。図５は、第二の実施形態のＣＲ発振回路の動作波形である。
時刻Ｔ０では、ＥＮ端子はＬＯＷなので、ＤＦＦ９０はリセットされておりＱ端子はＬＯＷを出力する。ＥＸＯＲ８０の２つの入力端子がＬＯＷなので、ＥＸＯＲ８０の出力端子はＬＯＷとなる。よって、スイッチ１６はオフしている。
【手続補正９】
【補正対象書類名】図面
【補正対象項目名】図１
【補正方法】変更
【補正の内容】
【図１】
2016072870.tif 000009